(57)【要約】【課題】駆動モータ120等の放熱を促進することにより、筐体11内部の温度の上昇を抑えることができるスロットマシン10を提供する。【解決手段】リールユニット60には、複数の駆動モータ120と、各駆動モータ120の回転軸に設けられる回転リール40と、少なくとも一つの駆動モータ120の回転軸に設けられる冷却用ファン130とを備え、冷却用ファン130によって、リールユニット60の内部に回転リール40の軸方向に沿った左右いずれか一方向に空気の流れができるスロットマシン10であって、リールユニット60の左右の両側方のうち、空気の流れの上流側を吸気部とし、かつ、下流側を排気部とし、筐体11の内部には、吸気部と筐体11の外部とを連通させる吸気ダクト72、及び排気部と筐体11の外部とを連通させる排気ダクト71のうち少なくとも一方を設けた。【選択図】図２
2007143617.tif 000002
【特許請求の範囲】
【請求項１】
正面側に開口部を有する箱型の筐体と、
筐体の内部に設けられるリールユニットとを備え、
リールユニットは、
リールユニット外枠部材と、
リールユニット外枠部材の内部に所定の間隔を空けて横並びに設けられる複数の支持部材と、
各支持部材に設けられる駆動モータと、
各駆動モータの回転軸に設けられる回転リールと、
少なくとも一つの駆動モータの回転軸に設けられる冷却用ファンとを備え、
冷却用ファンによって、リールユニットの内部に回転リールの軸方向に沿った左右いずれか一方向に空気の流れができるスロットマシンであって、
リールユニット外枠部材は、左右の両側面のそれぞれにリールユニット外枠部材の内部と外部とを連通させる側面開口部を有し、
リールユニットの左右の両側方のうち、冷却用ファンによってできる空気の流れの上流側を吸気部とし、かつ、冷却用ファンによってできる空気の流れの下流側を排気部とし、
筐体の内部には、吸気部と筐体の外部とを連通させる吸気ダクト及び排気部と筐体の外部とを連通させる排気ダクトのうち少なくとも一方を設けたことを特徴とするスロットマシン。
【請求項２】
吸気ダクト及び排気ダクトを総称して送気ダクトとし、
送気ダクトの内部には、スロットマシンを制御する制御基板を設けたことを特徴とする請求項１記載のスロットマシン。
【請求項３】
筐体の内部には、
スロットマシンを制御する制御基板と、
筐体の内部における制御基板付近の空間と吸気部とを連通させる内部ダクトと、
排気部と筐体の外部とを連通させる排気ダクトとを設けたことを特徴とする請求項１記載のスロットマシン。
【請求項４】
筐体の開口部を塞ぐ前扉と、
筐体の内部における上下のほぼ中間位置に設けられ、筐体の内部を上下に区切る中板とを備え、
中板により区切られた筐体の内部の空間のうち中板よりも上側に位置する空間を筐体内上部とし、かつ、中板により区切られた筐体の内部の空間のうち中板よりも下側に位置する空間を筐体内下部とし、
筐体内上部には、リールユニットを備え、
筐体内下部には、メダルの払い出しを行うホッパーユニットを備え、
前扉の下端付近には、筐体内下部と筐体の外部とを連通し、ホッパーユニットが払い出すメダルを筐体の外部へ排出するメダル排出口を設け、
中板には、中板を上下方向に貫通する中板貫通孔を設け、
筐体の内部には、中板貫通孔及びメダル排出口を介して、吸気部と筐体の外部とを連通させる吸気ダクトを設けたことを特徴とする請求項１又は２記載のスロットマシン。
【発明の詳細な説明】
【技術分野】
【０００１】
本発明は、スロットマシンに関し、更に詳しくは、リールユニットの内部に空気の流れを発生させることにより、駆動モータ等を冷却させるスロットマシンに関する。
【背景技術】
【０００２】
従来より、スロットマシンでは、周囲に複数の図柄を配置した回転リールを回転駆動させるための駆動モータが使用されている。そして、この駆動モータは、回転軸に回転リールを固定することにより、駆動モータからの回転駆動力を、直接、回転リールに伝達して、回転リールを回転させている。
この駆動モータには、具体的には、例えば、ステッピングモータを用いている。ステッピングモータは、パルス信号を与えられることにより、フィードバック無しに決められた角度を回転し、その回転角を保持することができるものである。そして、このステッピングモータは、４相の励磁の制御により駆動されるものであり、１相あたりおよそ３００ｍＡの電流を流している。
【０００３】
このように、回転リールの回転制御をするときは、駆動モータの内部に大電流を流す必要があるため、駆動モータに熱が発生する。このため、駆動モータがスロットマシン内部の熱源になっている。また、かかる駆動モータは、発熱により、その特性をダウンさせることがあり、当初の性能を発揮できない一因ともなっている。また、駆動モータの発熱により、スロットマシン内部の温度が上昇し、駆動モータ自体の自然冷却を妨げたり、基板上の半導体へ悪影響を及ぼし、スロットマシン全体の性能を低下させる一因となるといった問題があった。
このような問題を解決するため、特許文献１に記載に開示されている発明では、駆動モータを冷却するための冷却用ファンを設けることにより、駆動モータ自体の発熱を抑えることができ、その特性の低下を回避することができるとともに、スロットマシン内部全体の雰囲気温度の上昇を抑え、電子部品等への温度上昇による悪影響を回避することができるとされている。
【特許文献１】特開２００３−２２５３４２号公報
【発明の開示】
【発明が解決しようとする課題】
【０００４】
しかし、特許文献１記載の発明では、筐体の内部の空気を強制的に外部へ排出する構造等が設けられていないため、筐体内部の空気の筐体外部への排出、及び筐体外部の空気の筐体内部への流入があまり発生しなかった。また、筐体内部の空気は、駆動モータの発熱や制御基板の発熱により温められる。したがって、筐体内部の空気の筐体外部への排出、及び筐体外部の空気の筐体内部への流入が発生しないと、温まった空気は筐体の内部に篭ったままとなり、駆動モータの発熱や、制御基板の電子部品等の温度上昇を効率的に抑えることが困難になるという問題点があった。
そこで、本発明は、上記状況に鑑み以下の点を目的とする。
【０００５】
（請求項１）
すなわち、請求項１記載の発明は、回転リールを駆動させる駆動モータの回転軸に冷却用ファンを設け、その冷却用ファンが回転することにより、回転リールの軸方向に沿った空気の流れを発生させ、かつ、その空気の流れの上流側、又は、下流側、又はその双方に筐体外部と連通するダクトを設けることにより、駆動モータの発熱による筐体の内部の温まった空気を、筐体の外部に排出することができるようにし、又は、筐体外部の空気を筐体内部に取り込むことができるようにし、又はその双方ができるようにして、駆動モータの放熱を促進し、駆動モータの温度の上昇を抑えることができるとともに、筐体内部の温度の上昇を抑えることができるスロットマシンを提供することを目的とする。
【０００６】
（請求項２）
すなわち、請求項２記載の発明は、上記請求項１記載の発明の目的に加えて、空気の流れの中にスロットマシンを制御する制御基板を設けることにより、制御基板が発生する熱により温まった空気を筐体外部へ排出できるようにし、又は、筐体外部の空気を制御基板の周囲に取り込むことができることにし、又はその双方ができるようにして、制御基板の放熱を促進することができ、制御基板の温度の上昇を抑えることができるスロットマシンを提供することを目的とする。
（請求項３）
すなわち、請求項３記載の発明は、上記請求項１記載の発明の目的に加えて、筐体内部の制御基板付近の空間の空気を、筐体外部に排出することにより、制御基板の電子部品等の発熱による制御基板周囲の温まった空気を筐体の外部へ逃がすことができるスロットマシンを提供することを目的とする。
【０００７】
（請求項４）
すなわち、請求項４記載の発明は、上記請求項１又は２記載の発明の目的に加えて、スロットマシンの前面付近の、空調により温度が調節された室内の空気を、スロットマシンの前面にあるメダル排出口から、筐体の内部の駆動モータや制御基板の周囲に取り込むことができるスロットマシンを提供することを目的とする。
【課題を解決するための手段】
【０００８】
各請求項にそれぞれ記載された発明は、前述の目的を達成するためになされたものである。なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、正面側に開口部を有する箱型の筐体11と、筐体11の内部に設けられるリールユニット60とを備え、リールユニット60は、リールユニット外枠部材62と、リールユニット外枠部材62の内部に所定の間隔を空けて横並びに設けられる複数の支持部材150と、各支持部材150に設けられる駆動モータ120と、各駆動モータ120の回転軸に設けられる回転リール40と、少なくとも一つの駆動モータ120の回転軸に設けられる冷却用ファン130とを備え、冷却用ファン130によって、リールユニット60の内部に回転リール40の軸方向に沿った左右いずれか一方向に空気の流れができるスロットマシン10であって、リールユニット外枠部材62は、左右の両側面のそれぞれにリールユニット外枠部材62の内部と外部とを連通させる側面開口部154を有し、リールユニット60の左右の両側方のうち、冷却用ファン130によってできる空気の流れの上流側を吸気部とし、かつ、冷却用ファン130によってできる空気の流れの下流側を排気部とし、筐体11の内部には、吸気部と筐体11の外部とを連通させる吸気ダクト72及び排気部と筐体11の外部とを連通させる排気ダクト71のうち少なくとも一方を設けたことを特徴とする。
【０００９】
ここで、「筐体11」は、正面側に開口部を有する箱型に形成されている。
また、筐体11の内部には、「リールユニット60」が備えられえいる。また、リールユニット60は、リールユニット外枠部材62と、支持部材150と、駆動モータ120と、回転リール40と、冷却用ファン130とを備えている。
また、「リールユニット外枠部材62」は、例えば、全体形状をほぼ直方体形状にし、その前面側及び背面側を開口するように形成することができる。
また、「支持部材150」は、リールユニット外枠部材62の内部に所定の間隔を空けて、横並びに複数設けられている。各支持部材150は、具体的には、例えば、それぞれ四角い板状に形成することができる。支持部材150の個数は、具体的には、例えば、回転リール40を3個備える場合には、3個とし、回転リール40を４個備える場合には、４個とする。すなわち、支持部材150は、回転リール40の個数に従って設けることができる。
【００１０】
また、「駆動モータ120」は、各支持部材150にそれぞれ設けられている。駆動モータ120は、具体的には、例えば、ステッピングモータ等の回転の制御ができるモータを用いることができる。
また、「回転リール40」は、各駆動モータ120の回転軸に設けられている。したがって、駆動モータ120の回転軸が回転することにより回転リール40も回転する。また、回転リール40は、具体的には、例えば、中心を駆動モータ120の回転軸に固定され、全体がほぼ円筒形状の回転リール本体と、この回転リール本体に貼付され、複数の図柄が描かれたリールテープとを備えているように形成することができる。
【００１１】
また、「冷却用ファン130」は、少なくとも一つの駆動モータ120の回転軸に設けられている。また、冷却用ファン130は、駆動モータ120の回転軸からの回転駆動力によって、回転するものである。
また、冷却用ファン130は、駆動モータ120が回転することにより、リールユニット60の内部に回転リール40の軸方向に沿った左右いずれか一方向に空気の流れをつくることができる。
また、冷却用ファン130は、リールユニット60内部に設けられている駆動モータ120のうちの、少なくとも一つの駆動モータ120に備えられていればよく、例えば、一つの駆動モータ120のみの回転軸に設けても良いし、すべての駆動モータ120の回転軸に設けてもよい。すなわち、冷却用ファン130は、少なくとも一つの駆動モータ120に備えられていれば、任意の個数、駆動モータ120の回転軸に設けることができる。
【００１２】
また、冷却用ファン130に設けられている羽根131は、例えば、全体形状が台形状の平板状のものを、斜めに傾斜させた状態で固定する。そして、この羽根131の傾斜方向は、例えば、回転リール40を正面から見て図柄が上から下に向かって移動する回転方向と同一の回転方向のときに、リールユニット60内部に、左から右方向へ向かって、空気が流れるように設定する。すなわち、スロットマシン 10の正面から見て、冷却用ファン130の右側に位置する回転リール40の方向、すなわち、右側方向へ向かって送風されるように設定することができる。
また、「リールユニット外枠部材62」は、左右の両側面のそれぞれに側面開口部154を有している。また、側面開口部154は、リールユニット60の内部と外部とを連通させている。
【００１３】
具体的には、例えば、リールユニット外枠部材62の全体形状をほぼ直方体形状にし、その前面側及び背面側を開口するように形成した場合、リールユニット外枠部材62の両側板にそれぞれ円孔状の貫通穴を設ける。この円孔状の貫通孔のそれぞれを側面開口部154とする。この側面開口部154を設けることにより、リールユニット60の内部と外部とを連通させることができる。
また、リールユニット60の左右の両側方のうち、冷却用ファン130によってできる空気の流れの上流側を「吸気部」とし、かつ、冷却用ファン130によってできる空気の流れの下流側を「排気部」とする。
【００１４】
すなわち、吸気部とは、各駆動モータ120の少なくとも一つの回転軸に設けられた冷却用ファン130が回転することによって、リールユニット60内部に回転リール40の軸方向に沿った左右いずれかの一方向にできる空気の流れのうち、その上流側であって、リールユニット60の左右の両側方の一方をいう。また、排気部とは、リールユニット60内部に回転リール40の軸方向に沿った左右いずれかの一方向にできる空気の流れのうち、その下流側であって、リールユニット60の左右の両側方の一方のうちの、吸気部と反対の方をいう。
また、筐体11の内部には、吸気部と筐体11の外部とを連通させる吸気ダクト72及び排気部と筐体11の外部とを連通させる排気ダクト71のうち少なくとも一方が設けられている。すなわち、吸気ダクト72及び排気ダクト71のうちどちらか一方のみを設けても良いし、吸気ダクト72及び排気ダクト71の両方を設けても良い。
【００１５】
また、吸気ダクト72及び排気ダクト71は、筐体11の外部と連通していればよい。例えば、スロットマシン10の前面に設けているメダル排出口32を介して、スロットマシン10の前面付近である筐体11の外部と、吸気部または排気部とを連通してもよく、また、スロットマシン10の裏面に裏面貫通孔14、28を設け、その裏面貫通孔14、28を介してスロットマシン10の裏面付近である筐体11の外部と、吸気部または排気部とを連通してもよい。
（請求項２）
（特徴点）
請求項２記載の発明は、請求項１記載の発明を限定したものであって、次の点を特徴とする。
【００１６】
すなわち、請求項２記載の発明は、請求項１記載の発明に加えて、吸気ダクト72及び排気ダクト71を総称して送気ダクト70とし、送気ダクト70の内部には、スロットマシン10を制御する制御基板110を設けたことを特徴とする。
ここで、「送気ダクト70」とは、吸気ダクト72及び排気ダクト71の総称をいう。すなわち、筐体11の内部に吸気ダクト72のみが設けられている場合は、吸気ダクト72が送気ダクト70に該当し、排気ダクト71のみが設けられている場合は、排気ダクト71が送気ダクト70に該当し、吸気ダクト72及び排気ダクト71が設けられている場合は、吸気ダクト72及び排気ダクト71の双方が送気ダクト70に該当する。
【００１７】
また、「制御基板110」は、スロットマシン10を制御するためのものである。制御基板110は、具体的には、例えば、ＣＰＵを中心に構成し、ＲＯＭ、ＲＡＭ、Ｉ／Ｏ等を備える。そして、スタートスイッチ30及びストップスイッチ50の操作により、回転リール40の回転及び停止を制御するための遊技制御装置と、ランプやスピーカ等の表示装置66を制御するための演出制御装置とが内蔵されている。
また、制御基板110は、送気ダクト70の内部に設けられればよい。したがって、吸気ダクトし72のみが設けられている場合には、吸気ダクト72の内部に制御基板110を設ける。また、排気ダクト71のみが設けられている場合には、排気ダクト71の内部に制御基板110を設ける。また、吸気ダクト72及び排気ダクト71の双方が設けられている場合には、吸気ダクト72及び排気ダクト71のどちらかの内部に制御基板110を設ける。
【００１８】
また、例えば、吸気ダクト72及び排気ダクト71の双方が設けられている場合であって、かつ、制御基板110がメイン基板とサブ基板とに分けて設けられている場合には、メイン基板とサブ基板の双方を吸気ダクト72に設けても良いし、また、メイン基板とサブ基板の双方を排気ダクト71に設けても良い。また、メイン基板を吸気ダクト72に設け、サブ基板を排気ダクト71に設けても良いし、逆に、メイン基板を排気ダクト71に設け、サブ基板を吸気ダクト72に設けても良い。
また、制御基板110を保護するための基板ケースを備えており、制御基板110が基板ケースの内部に配設されている場合は、基板ケース自体を送気ダクト70の一部とし、基板ケースの内部に空気の流れが発生するように形成してもよい。
【００１９】
（請求項３）
（特徴点）
請求項３記載の発明は、請求項１記載の発明を限定したものであって、次の点を特徴とする。
すなわち、請求項３記載の発明は、請求項１記載の発明に加えて、筐体11の内部には、スロットマシン10を制御する制御基板110と、筐体11の内部における制御基板110付近の空間と吸気部とを連通させる内部ダクト73と、排気部と筐体11の外部とを連通させる排気ダクト71とを設けたことを特徴とする。
【００２０】
ここで、「内部ダクト73」は、筐体11の内部における制御基板110付近の空間と吸気部とを連通させている。
また、例えば、制御基板110を筐体11内部の上方の位置に設けた場合は、内部ダクト73の一端を、筐体11内部の上方へ向けて開口するように形成する。また、内部ダクト73の他端をリールユニット60の側面開口部154と連設するように形成する。また、内部ダクト73には、筐体11内部の上方の空間と吸気部とを連通させる空気の通路を形成する。これにより、内部ダクト73は、筐体11の内部における制御基板110付近の空間と吸気部とを連通させることができる。
【００２１】
また、「排気ダクト71」は、排気部と筐体11の外部とを連通させている。
また、例えば、排気ダクト71の一端を、リールユニット60の右側側面の側面開口部154と連設するように形成する。また、筐体11に貫通孔を設け、排気ダクト71の他端を、その貫通孔に至るように形成する。また、排気ダクト71には、排気部と筐体11の外部とを連通させる空気の通路を形成する。これにより、排気ダクト71は、排気部と筐体11の外部とを連通させることができる。
（請求項４）
請求項４記載の発明は、請求項１又は２記載の発明を限定したものであって、次の点を特徴とする。
【００２２】
すなわち、請求項４記載の発明は、請求項１又は２記載の発明に加えて、筐体11の開口部を塞ぐ前扉20と、筐体11の内部における上下のほぼ中間位置に設けられ筐体11の内部を上下に区切る中板25とを備え、中板25により区切られた筐体11の内部の空間のうち中板25よりも上側に位置する空間を筐体内上部23とし、かつ、中板25により区切られた筐体11の内部の空間のうち中板25よりも下側に位置する空間を筐体内下部24とし、筐体内上部23には、リールユニット60を備え、筐体内下部24には、メダルの払い出しを行うホッパーユニット65を備え、前扉20の下端付近には、筐体内下部24と筐体11の外部とを連通し、ホッパーユニット65が払い出すメダルを筐体11の外部へ排出するメダル排出口32を設け、中板25には、中板25を上下方向に貫通する中板貫通孔26を設け、筐体11の内部には、中板貫通孔26及びメダル排出口32を介して、吸気部と筐体11の外部とを連通させる吸気ダクト72を設けたことを特徴とする。
【００２３】
ここで、「前扉20」は、筐体11の正面側の開口部を塞ぐように備えられている。
また、「中板25」は、筐体11の内部のほぼ中間位置に設けられている。また、中板25は、筐体11の内部を上下に区切るように設けられている。
また、筐体11の内部は、中板25を設けることにより、「筐体内上部23」と「筐体内下部24」とに区切られている。筐体内上部23は、筐体11の内部の空間のうち中板よりも上側に位置する空間である。また、筐体内上部23には、リールユニット60が備えられている。また、筐体内下部24は、筐体11の内部の空間のうち中板よりも下側に位置する空間である。また、筐体内下部24には、「ホッパーユニット65」が、設けられている。また、ホッパーユニット65は、メダルの払い出しを行う。
【００２４】
また、前扉20の下端付近には、「メダル排出口32」が設けられている。メダル排出口32は、筐体内下部23と筐体11の外部とを連通させている。また、メダル排出口32は、ホッパーユニット65が払い出すメダルを筐体11の外部へ排出する。
また、中板25には、中板25を上下方向に貫通する「中板貫通孔26」が設けられている。
また、筐体11の内部には、「吸気ダクト72」が設けられている。吸気ダクト72は、中板貫通孔26及びメダル排出口32を介して、吸気部と筐体11の外部とを連通させている。
具体的には、例えば、吸気ダクト72は、筐体内上部23に位置する上部吸気ダクト90と、筐体内下部24にあって、中板25の下面に連設されている中部吸気ダクト91と、筐体内下部24にあって、前扉20の裏面に設けられた下部吸気ダクト92とにより構成することができる。また、中部吸気ダクト91と下部吸気ダクト92とは、前扉20が閉じられることにより、互いに接続するようにする。
【００２５】
また、具体的には、例えば、上部吸気ダクト90の一端を、リールユニット60の左側側面にある側面開口部154と連設するように形成する。また、上部吸気ダクト90の他端を、中板25の上面の、中板貫通孔26がある位置に至るように形成する。また、上部吸気ダクト90には、中板貫通孔26を介して、中部吸気ダクト91と吸気部とを連通させる空気の通路を形成する。これにより、上部吸気ダクト90は、中板貫通孔26を介して、中部吸気ダクト91と吸気部とを連通させることができる。
また、中部吸気ダクト91の一端を、中板25の下面であって、中板貫通孔26のある位置に至るように形成する。また、中部吸気ダクト91の他端を、下扉22を閉じることにより、下部吸気ダクト92の一端と接続するように形成する。また、中部吸気ダクト91には、中板貫通孔26を介して、上部吸気ダクト90と下部吸気ダクト92とを連通させる空気の通路を形成する。これにより、中部吸気ダクト91は、下部吸気ダクト92と上部吸気ダクト90を連通させることができる。
【００２６】
また、下部吸気ダクト92の一端を、下扉22を閉じることにより、中部吸気ダクト91の他端と接続するように形成する。また、下部吸気ダクト92の他端を、メダル排出口32に至るように形成する。また、下部吸気ダクト92には、メダル排出口32を介して、筐体11の外部と中部吸気ダクト91とを連通させる空気の通路を形成する。これにより、下部吸気ダクト92は、筐体11の外部と中部吸気ダクト91と連通させることができる。
また、これにより、吸気ダクト72は、上部吸気ダクト90と、中部吸気ダクト91と、下部吸気ダクト92とから、中板貫通孔26及びメダル排出口32を介して、吸気部と、筐体11の外部とを連通させることができるようになる。
【発明の効果】
【００２７】
（請求項１）
請求項１記載の発明によれば、筐体の内部に、吸気部と筐体の外部とを連通させる吸気ダクト、及び排気部と筐体の外部とを連通させる排気ダクトのうち少なくとも一方を設けるようにした。
これにより、吸気ダクトを設けた場合には、駆動モータの周囲に筐体の外部の空気を取り込むことができるようになり、駆動モータの放熱を促進して、駆動モータの温度の上昇を抑えることができる。また、排気ダクトを設けた場合は、駆動モータにより温まった駆動モータ周囲の空気を筐体の外部に排出することができるようになり、駆動モータの放熱を促進して、駆動モータの温度の上昇を抑えることができる。また、吸気ダクトと排気ダクトとを設けた場合は、駆動モータの周囲に筐体の外部の空気を取り込むことができ、かつ、駆動モータにより温まった駆動モータ周囲の空気を筐体の外部に排出することができるようになり、駆動モータの放熱をより促進し、駆動モータの温度の上昇をより効率よく抑えることができる。また、これにより、筐体内部の温度の上昇を抑えることができる。
【００２８】
（請求項２）
請求項２記載の発明によれば、上記した請求項１記載の発明の効果に加え、次のような効果を奏する。
すなわち、請求項２記載の発明は、請求項１記載の発明に加えて、吸気ダクト及び排気ダクトを総称して送気ダクトとし、送気ダクトの内部には、スロットマシンを制御する制御基板を設けた。
これにより、送気ダクトとして、吸気ダクトのみを設けた場合には、制御基板の周囲に筐体の外部の空気を取り込むことができるようになる。また、送気ダクトとして、排気ダクトのみを設けた場合には、制御基板により温まった制御基板周囲の空気を筐体の外部に排出することができるようになる。または、その双方を設けた場合には、制御基板の周囲に筐体の外部の空気を取り込むことができ、かつ、制御基板により温まった制御基板周囲の空気を筐体の外部に排出することができるようになる。これにより、制御基板の放熱をより促進し、制御基板の温度の上昇を効率よく抑えることができる。
【００２９】
（請求項3）
請求項３記載の発明によれば、上記した請求項１記載の発明の効果に加え、次のような効果を奏する。
すなわち、請求項３記載の発明は、請求項１記載の発明に加えて、筐体の内部に、筐体の内部における制御基板付近の空間と吸気部とを連通させる内部ダクトと、排気部と筐体の外部とを連通させる排気ダクトとを設けた。
これにより、筐体内部の制御基板により暖められた制御基板付近の空間の空気を、筐体の外部に排出することができるようになり、制御基板の放熱を促進して、制御基板の温度の上昇を抑えることができる。
【００３０】
（請求項４）
請求項４記載の発明によれば、上記した請求項１又は２記載の発明の効果に加え、次のような効果を奏する。
すなわち、請求項４記載の発明は、請求項１又は２記載の発明に加えて、中板貫通孔及びメダル排出口を介して、吸気部と筐体の外部とを連通させる吸気ダクトを設けた。
これにより、スロットマシンの前面に設けられたメダル排出口から、スロットマシン前面付近の空気を、駆動モータに周囲に取り込むことができ、駆動モータの放熱を促進して、駆動モータの温度の上昇を抑えることができる。
【発明を実施するための最良の形態】
【００３１】
（第１の実施の形態）
（図面の説明）
図１ないし図６は、本発明の第１の実施の形態を示すものである。図１は、第１の実施の形態におけるスロットマシン10の正面図である。図２は、第１の実施の形態におけるスロットマシン10の分解斜視図である。図３は、第１の実施の形態におけるスロットマシン10の内部斜視図である。図４は、第１の実施の形態におけるスロットマシン10の背面斜視図である。図５は、第１の実施の形態におけるリールユニット60の分解斜視図である。図６は、第１の実施の形態における冷却用ファン130の外観斜視図である。図７は、第１の実施の形態におけるリールユニット60の空気の流れを示す図である。図８は、第１の実施の形態における筐体11内部の空気の流れを示す図である。
【００３２】
本実施の形態では、「正面」とは、スロットマシン10において遊技を行う際に遊技者が向き合う面をいう。また、「右側」とは、スロットマシン10の前面に向き合って遊技を行う遊技者から見て右側をいう。また、「左側」とは、スロットマシン10の前面に向き合って遊技を行う遊技者から見て左側をいう。
（スロットマシン10）
図1ないし図４に示すように、本実施の形態にかかるスロットマシン10は、正面側に開口部を有する四角箱形状の筐体11と、筐体11の内部に設けられるリールユニット60と、筐体11の開口部を開閉自在に塞ぐ前扉20とを備えている。
【００３３】
また、筐体11内部の上下のほぼ中央の位置には、中板25が水平に設けられている。そして、筐体11内部の中板25に区切られた空間のうち、中板25よりも上側に位置する空間を筐体内上部23とし、かつ、筐体11内部の中板25に区切られた空間のうち、中板25よりも下側に位置する空間を筐体内下部24としている。
また、前扉20は、開口部のうち、筐体内上部23の部分である上部開口部を開閉自在に塞ぐ上扉21と、開口部のうち、筐体内下部24の部分である下部開口部を開閉自在に塞ぐ下扉22とから構成されている。
また、筐体11の背板19には、筐体内上部23と筐体11の外部とを連通している裏面貫通孔14が設けられている。
【００３４】
また、筐体内上部23には、リールユニット60が設けられている。また、筐体内下部24には、ホッパーユニット65が設けられている。
また、上扉21の中央部には、遊技者側に向かって臨むほぼ四角窓状の表示窓12が形成されている。そして、この表示窓12のほぼ中央には、３個の回転リール40の図柄61を見ることができる図柄表示窓13が形成されている。
また、筐体11内部のリールユニット60の右側には、排気ダクト71が設けられている。また、筐体11内部のリールユニット60の左側には、上部吸気ダクト90が設けられている。なお、上部吸気ダクト90は、後述する中部吸気ダクト91と、同じく後述する下部吸気ダクト92とにより、吸気ダクト72を構成している。つまり、吸気ダクト72は、上部吸気ダクト90、中部吸気ダクト91及び下部吸気ダクト92から構成されている。また、吸気ダクト72及び排気ダクト71を総称して送気ダクト70としている。
【００３５】
また、筐体内下部24には、中部吸気ダクト91及び下部吸気ダクト92が設けられている。また、中部吸気ダクト91は、中板25に連設されている。また、下部吸気ダクト92は、下扉22の裏面に設けられている。また、下扉22が、下部開口部を塞ぐと、下部吸気ダクト92は、筐体内下部24に位置するように形成されている。
また、中板25の上面には、リールユニット60が備えられている。また、中板25の所定の位置には、中板25を上下方向に貫通している中板貫通孔26が設けられている。また、中板貫通孔26は、図２に示すように、四角孔形状をしている。また、中板貫通孔26は、その上方に、後述する上部吸気ダクト90の他端が位置するように形成されている。また、中板貫通孔26は、その下方に、後述する中部吸気ダクト91の一端が位置するように形成されている。
【００３６】
また、３個の回転リールには、図１の向かって左端側に位置する左側回転リール43と、図１の向かって右端側に位置する右側回転リール45と、この左側回転リール43及び右側回転リール45の間に位置する中央回転リール44とがある。そして、遊技機10の前面側には、特に図示しないが、横方向に３本、左右の対角線上の斜め方向に２本の合計５本の入賞ラインが形成されている。そして、この入賞ラインは、投入メダルの枚数に応じて入賞が有効になる入賞有効ラインとなるものである。具体的には、遊技メダルの投入枚数が、１枚の場合、５本の入賞ラインのうち、横中央の一本が入賞有効ラインとなる。そして、遊技メダルの投入枚数が、２枚の場合、５本の入賞ラインのうち、横方向の３本が入賞有効ラインとなる。そして、遊技メダルの投入枚数が、３枚の場合、対角線も含めた５本の入賞ラインの全部が、入賞有効ラインとなる。
【００３７】
また、スロットマシン10の内部には、遊技機10の全体の動作を制御するための制御基板110が設けられている。この制御基板110は、ＣＰＵを中心に構成され、ＲＯＭ、ＲＡＭ、Ｉ／Ｏ等を備えている。そして、制御基板110には、スタートスイッチ30及びストップスイッチ50の操作により、回転リール40の回転及び停止を制御するための遊技制御装置と、ランプやスピーカ等の報知装置66を制御するための演出制御装置とが内蔵されている。
また、図１及び図２に示すように、上扉21には、報知装置66（報知ランプ69、スピーカ67及び表示装置68）を備えている。下扉22には、投入スイッチ15、ベットスイッチ16、精算スイッチ17、スタートスイッチ30、ストップスイッチ50、メダル排出口32等を備えている。
【００３８】
（投入スイッチ15）
投入スイッチ15は、図１及び図２に示すように、回転リール40の斜め下方に位置するスイッチであって、遊技メダルのメダル投入口18から投入された遊技メダルを検知するためのものである。
（ベットスイッチ16）
ベットスイッチ16は、図１及び図２に示すように、回転リール40の下方に位置するスイッチであって、貯留メダル数を減じてメダル投入に代えるためのものである。
（精算スイッチ17）
精算スイッチ17は、図１及び図２に示すように、回転リール40の斜め下方に位置するスイッチであって、貯留した投入メダルを払い出すためのものである。
【００３９】
（スタートスイッチ30）
スタートスイッチ30は、図１及び図２に示すように、回転リール40の斜め下方に位置するレバーであって、遊技メダルの投入若しくはベットスイッチ16の投入等を条件に、リールユニット60の３個の回転リール40の回転駆動を開始させるためのものである。
（ストップスイッチ50）
ストップスイッチ50は、リールユニット60の駆動を停止させるためのものである。具体的には、ストップスイッチ50は、図１及び図２に示すように、各回転リール40に対応した３個のスイッチから構成され、各回転リール40の下方に１個ずつ配置されているものである。回転リール40に対応したストップスイッチ50の操作により、当該対応した回転リール40が回転を停止するように設定されているものである。
【００４０】
（報知装置66）
報知装置66は、遊技者に当選や入賞等を音や光や映像で報知させるためのものである。具体的には、報知装置66は、筐体11の下部に埋め込まれた左右２個のスピーカ67と、表示窓12の上部中央に配置されたドット状の大型パネルＬＥＤからなる表示装置68と、表示窓12の周囲縁に配置された５個の報知ランプ69とを備えているものである。
（メダル排出口32）
メダル排出口32は、下扉22の下方ほぼ中央に設けられ、筐体内下部24と外部とを挿通している。
【００４１】
（ホッパーユニット65）
ホッパーユニット65は、遊技の結果に基づいて、遊技者にメダルを払い出すためのものである。また、図１及び図２に示すように、ホッパーユニット65は、下扉22に設けられているメダル払出口32を介して、スロットマシン10の外部に、メダルを排出させている。
（リールユニット60）
リールユニット60は、図１ないし図５に示すように、全体形状が略直方体状の枠構造からなるリールユニット外枠部材62と、このリールユニット外枠部材62の内部に所定の間隔を空けて横並びに設けられる複数の支持部材150と、この支持部材150に固定或いは支持されるとともに、回転リール40を回転駆動させるための３個の駆動モータ120と、各々の駆動モータ120の回転軸に固定された３個の回転リール40と、駆動モータ120の回転軸に設けられた駆動モータ120を冷却するための冷却用ファン130とを備えている。
【００４２】
具体的には、３個の駆動モータ120には、向かって左側に配置された左駆動モータと、中央に配置された中駆動モータと、向かって右側に配置された右駆動モータとがある。そして、３個の回転リール40には、左駆動モータによって回転駆動可能な左側回転リール43と、中駆動モータによって回転駆動可能な中央回転リール44と、右駆動モータによって回転駆動可能な右側回転リール45とがある。
また、リールユニット60は、後述する冷却用ファン130が回転することによって、内部に回転リール40の軸方向に沿って左から右方向に空気の流れが発生する。このとき、リールユニット60の左方の、冷却用ファン130によってできる空気の流れの上流側を吸気部とし、かつ、リールユニット60の右方の、冷却用ファン130によってできる空気の流れの下流側を排気部としている。
【００４３】
（リールユニット外枠部材62）
上記リールユニット外枠部材62は、図５に示すように、全体形状が略直方体状であって、その前面側及び背面側は開口している。そして、リールユニット外枠部材62の上面には、四角形状に開口する３つの上面開口部153が形成されている。また、リールユニット外枠部材62の左右の側面には、それぞれ円形状に開口する側面開口部154が形成されている。
また、リールユニット外枠部材92の左右の両側面には、それぞれ接続部材64が一つずつ設けられている。各接続部材64は、側面開口部154の周囲から、それぞれ左右方向へ向けて突出して設けられている。また、各接続部材64はそれぞれ円筒形状に形成されている。
【００４４】
（支持部材150）
支持部材150は、図５に示すように、四角い板状に形成されている。また、支持部材150は、３枚設けられている。各支持部材150は、それぞれリールユニット外枠部材62の内部に、上面及び底面に対して垂直に立設するように固定されている。また、各支持部材150は、それぞれ横方向に所定間隔で形成されている。そして、この各支持部材150には、それぞれ四角形状に開口する四つの支持開口部151が形成されている。
（駆動モータ120）
駆動モータ120には、上述したように左側回転リール43を回転可能な左駆動モータと、中央回転リール44を回転可能な中駆動モータと、右側回転リール45を回転可能な右駆動モータとがある。各駆動モータ120は、リールユニット外枠部材62の内部で縦方向に立設する各支持部材150のそれぞれ右側側面に固定されている。
【００４５】
各駆動モータ120は、それぞれ回転リール40へ回転駆動力を伝達するための回転軸を備えている。この回転軸は、特に図示しないが、その途中に段差状の段差部が形成されている。そして、回転軸は、段差部を境にして、根元部と先端部とが形成されている。また、先端部は、根元部対して軸径が小さくなるように形成されている。回転軸の先端部には、段差部から先端にかけてキー溝を設けられ、かつ、段差部から所定の位置までメスネジが形成されている。
また、駆動モータ120は、具体的には、ステッピングモータ（パルスモータ）であって、パルス信号を与えることで、フィードバック無しに決められた角度を回転し、その回転角を保持することができるものである。そして、フィードバック回路を設けなくとも与えるパルス信号により決まった回転角、回転速度が得られという特徴を有するものである。そして、このステッピングモータは、４相の励磁の制御により、駆動されるものであり、１相あたりおよそ３００ｍＡの電流を流している。
【００４６】
（回転リール40）
回転リール40には、上述したように左側回転リール43、中央回転リール44及び右側回転リール45がある。そして、各回転リール40は、それぞれ、中心に駆動モータ120からの回転軸が固定されて全体形状が略円筒枠状の回転リール本体と、この回転リール本体の周囲に貼付され、複数（２１個）の図柄が描かれたリールテープとを備えている。
回転リール本体は、特に図示はしないが、駆動モータ120の回転軸を差し込み可能な軸孔を有する円板状の中心部と、この中心部から周囲に向かって延びる４本の支持片163と、この支持片163により支持されるとともにリールテープが外側周囲に貼付される円筒骨組み状のテープ貼付部とを備えているものである。また、軸孔には、中心方向へ向かって突出するキーが設けられている。
【００４７】
また、駆動モータ120の先端部に、回転リール本体の中心部の軸孔が差し込まれている。また、回転リール40の軸孔に、設けられているキーを、駆動モータ120の段差部のキー溝に嵌ることにより、駆動モータの回転軸の回転が回転リール40に伝わるようになっている。また、回転リール40は、特に図示はしないが、駆動モータ120の回転軸に、固定部材を用いて固定されている。固定部材は、円板状に形成され、中心付近に貫通したメスネジが設けられている。そして、回転リール40は、回転軸の先端部に設けられたオスネジに、固定部材のメスネジを締結することにより固定されている。
また、支持片163の途中には、特に図示はしないが、いわゆるスタートインデックスが形成してある。駆動モータ120からの回転駆動力により、回転リール本体が回転を開始した後、かかるスタートインデックスを検知してからの回転角度を認識することで、現在位置を特定し、その後、所定角度で停止させることによって、停止制御が行われるものである。
【００４８】
また、支持片163は、図６に示すように、その途中に位置して円柱軸状の爪回転軸142と、この爪回転軸142の周囲に回動可能な爪141とを備えている。
また、回転リール本体は、中心部とテープ貼付部との間であって、支持片163を形成していない部分において、回転リール本体の軸方向に開口するリール開口部152を形成している。
（冷却用ファン130）
冷却用ファン130は、各駆動モータ120の回転軸にそれぞれ設けられている。冷却用ファン130は、リールユニット60の内部に空気の流れを発生させることにより、駆動モータ120の放熱を促すためのものである。冷却用ファン130は、図５及び図６に示すように、駆動モータ120の回転軸の先端部にはめ込まれているベアリング134の、周囲に固定された円筒軸状の円筒軸部132と、この円筒軸部132から外側に向かって放射状に延びる８枚の羽根131と、円筒軸部132の回転リール本体側に位置して、回転リール本体の爪141が一方向回転のときに噛み込むための波状の周縁を有する全体形状が略円板状の爪車133とを備えている。
【００４９】
また、特に図示はしないが、駆動モータ120の先端部にはめ込まれているベアリング134は、内側のリングと、外側のリングとの間に、２列の金属球を挟み込んだものであって、回転軸と一緒に内側リングが回転しても、外側リングは自由に回転可能に形成されている、いわゆるボールベアリングである。このベアリング134の外側のリングは、回転リールを固定している固定部材の直径より大きな直径からなり、駆動モータ120の回転駆動力がベアリングの外側のリングに直接伝達しないように形成されている。そして、ベアリング134は、特に図示はしないが、駆動モータ120の回転軸に、ベアリング134の外側のリングよりも小さな径からなるベアリング固定用リングをはめ込むことにより、固定されている。
【００５０】
羽根131は、全体形状が台形状の平板状のものを、斜めに傾斜させた状態で固定されている。そして、この羽根131の傾斜方向は、回転リール40を正面から見て図柄が上から下に向かって移動する回転方向と同一の回転方向のときに、リールユニット60内部に、左から右方向へ向かって、空気が流れるように設定されているものである。すなわち、スロットマシン 10の正面から見て、冷却用ファン130の右側に位置する回転リール40の方向、すなわち、左から右方向へ向かって送風されるように設定されているものである。
また、各冷却用ファン130は、各駆動モータ120にそれぞれ設けられている。そして、これら３個の冷却用ファン130は、回転リール40の通常回転方向のときに、すべて、左から右方向の同一方向に送風するように、３個の冷却用ファン130の羽根131の傾斜方向を所定角度に揃えているものである。このため、３個の回転リール40を、回転させると、リールユニット60内部に向かって左から右の方向に強制的な空気の流れが発生する。これにより、各冷却用ファン130の送風方向を同一方向に統一していない場合と比較して、３個の回転リール40の各冷却用ファン130で発生した送風が、互いに干渉するようなことを回避することができ、同一方向の送風で大きな空気の流れを形成する。そして、その中に、駆動モータ120を設けることにより、駆動モータ120の放熱を促進させることができる。
【００５１】
（一方向伝達機構部140）
また、冷却用フィン130には、図６に示すように、一方向伝達機構部140が設けられている。一方向伝達機構部140は、駆動モータ120から冷却用ファン130への回転駆動力の伝達経路の途中に位置して、駆動モータ120からの回転駆動力の一方向回転運動を冷却用ファン130に伝達し、逆方向回転運動を伝達せずに冷却用ファン130を空回りさせるためのものである。
具体的には、一方向伝達機構部140は、回転リール40を通常の遊技中の回転方向に回転運動させている場合には、駆動モータ120の回転駆動力を、冷却用ファン130に伝達して、冷却用ファン130も一緒に回転させるが、回転リール40を停止させている場合には、冷却用ファン130を自らの慣性運動により空回りさせるものである。
【００５２】
一方向伝達機構部140は、図６に示すように、支持片163に固定された爪141と、冷却用ファン130に固定されるとともに、爪141が一方向回転のときに噛み込むための波状の周縁を有する爪車133と、冷却用ファン130が駆動モータ120の回転軸の周囲で回転可能なベアリング134とを備えている。爪車133は、曲面錠の外周からなる外周曲面部134と、爪141が噛み込むための周囲に等角度に８個形成された爪係合部136とを備えている。
駆動モータ120の回転駆動力は、回転軸を介して、回転リール40に伝達される。そして、回転リール40が回転することにより、その回転リール本体の支持片163に固定されている爪141も、回転リール40と一緒に回転する。そして、図６に示すように、回転リール40が図６に向かって左回転、すなわち、通常の遊技中の回転リール40の回転方向に回転すると、かかる爪141が、外周曲面部134の表面を滑りながら移動した後、爪車133の爪係合部136に引っかかる。その状態で、回転リール40が左回転すると、爪141に押されて、爪車133も左回転するものである。そして、爪車133は、円筒軸部132及び羽根131と一体に形成されているため、羽根131も爪車133の回転と一緒に向かって左回転するものである。一方、駆動モータ120の回転軸が回転を停止すると、その回転軸に固定されている回転リール40も同時に回転を停止する。それにともなって、回転リール40の支持片163に固定されている爪141も回転移動を停止する。そして、冷却用ファン130は、ベアリング134に回動可能に固定されているため、自らの慣性力により、そのまま左回転する。そして、爪141の先端は、爪車133の爪係合部136から外れて、爪車133の周囲の外周曲面部134の表面をなぞることになる。そして、次の爪係合部136が回転して来ても、爪車133の周囲の爪係合部136が全体として波状になっているため、爪141の先端が波を上がる方向には、引っかかることなく進み、爪車133は外周曲面部134の表面を空回りすることとなる。
【００５３】
これにより、回転リール40を停止させるために駆動モータ120の回転を停止させても、冷却用ファン130だけを自らの慣性力によって、そのまま回転を持続させることができる。
また、本実施の形態の場合、３個の回転リールが独自に制御されているため、例えば、1個の回転リール40が停止した後であっても、リールユニット60の内部には、回転リール40の軸方向に空気の流れが発生している場合がある。このとき、もし、回転リール40が停止した後も、冷却用ファン130だけを回転させることができる構造となっておらず、冷却用ファン130と回転リール40とが一体として回転するような構造になっている場合には、回転リール40が停止した後も、冷却用ファン130に風が当たることにより、回転リール40を回転させるような力が働き、回転リール40が回転してしまう恐れがある。
【００５４】
これに対し、本実施の形態では、冷却用ファン130は、通常の遊技中の回転方向に回転運動している場合には、回転リールが停止した後でも、その回転リール40と独立して回転することができる。したがって、回転リール40を停止させた後、回転リール40の軸方向に空気の流れが発生していても、その回転リール40を回転させるような力が働かず、回転リール40を容易に停止したままにすることができる。
また、本実施の形態では、３個の駆動モータ120のそれぞれに冷却用ファン130を一個づつ設けている。つまり、合計３個の冷却用ファン130が設けられているが、駆動モータ120を冷却するために必要な空気の流れを発生させることができれば良いので、必要な空気の流れを発生させうる任意の個数を設けるようにしてもよい。具体的には、冷却用ファン130を、１つの駆動モータ120にのみ設けるようにしても良いし、２つの駆動モータ120に設けるようにしても良い。
【００５５】
（排気ダクト71）
排気ダクト71は、排気部の空気を筐体11の外部に排出させるためのものである。
また、排気ダクト71は、図５に示すように、筐体11内部のリールユニット60の右側に設けられている。また、排気ダクト71の一端は、リールユニット60の右側側面にある接続部材64と嵌合している。また、排気ダクト71の他端は、背板19の内面であって、裏面貫通孔14のある位置に至るように形成されている。
また、排気ダクト71には、裏面貫通孔14を介して、筐体11の外部と排気部とを連通させる空気の通路が形成されている。これにより、排気ダクト71は、排気部から筐体11の外部へ空気を導くことができるようになっている。
【００５６】
また、図５に示すように、排気ダクト71は、側板80と、周板81と、内板82と、後板83とからなる箱状に形成されている。また、排気ダクト71の側板80は、リールユニット60の右側側面と、ほぼ平行になるように形成されている。また、側板80の上端、下端及び後端は、直線状に形成されている。また、側板80の前端は、上端の前端と下端の前端とを結んだ半円状に形成されている。
また、側板80の上端、下端及び前端から左方へ向かって、側板80に対してほぼ直角になるように、周板81が立設されている。また、側板80の後端から左方向へ向けて、側板80に対してほぼ直角になるように、後板83が立設されている。また、周板81の左端と後板83の左端は、側板80からの距離がほぼ同じく形成されている。つまり、内板82は、側板80とほぼ平行になるように形成されている。また、内板82は、周板81と後板83の左端を塞ぐように形成されている。
【００５７】
また、排気ダクト71は、側板80の前端が正面方向を向くように形成されている。
また、内板82には、円孔が形成されている。これが、排気ダクト71の一端となっている。また、後板83には、四角孔が形成されている。これが、排気ダクト71の他端となっている。
（吸気ダクト72）
吸気ダクト72は、筐体11の外部の空気を吸気部に取り込むためのものである。また、本実施の形態では、筐体11の外部であるスロットマシン10の前面付近の空気を、吸気部に取り込むように形成されている。また、吸気ダクト72には、中板貫通孔26及びメダル排出口32を介して、吸気部と筐体11の外部とを連通させる空気の通路が形成されている。また、本実施の形態では、図２及び図３に示すように、上部吸気ダクト90と、中部吸気ダクト91と、下部吸気ダクト92とにより吸気ダクト72が構成されている。
【００５８】
（上部吸気ダクト90）
上部吸気ダクト90は、図５に示すように、リールユニット60の左側に設けられている。また、上部吸気ダクト90の一端は、リールユニット60の左側側面にある接続部材部64と嵌合している。また、上部吸気ダクト90の他端は、中板25の上面であって、中板貫通孔26がある位置に至るように形成されている。
また、上部吸気ダクト90には、中板貫通孔26を介して、中部吸気ダクト91と吸気部とを連通させる空気の通路が形成されている。これにより、上部吸気ダクト90は、中部吸気ダクト91から吸気部へ空気を導くことができるようになっている。
【００５９】
また、図５に示すように、上部吸気ダクト90は、側板80と、周板81と、内板82とからなる、下端を開放した箱状に形成されている。また、上部吸気ダクト90の側板80は、リールユニット60の左側側面と、ほぼ平行になるように形成されている。また、側板80の前端、後端及び下端は、直線状に形成されている。また、側板80の上端は、前端の上端と後端の上端とを結んだ半円状に形成されている。
また、図５に示すように、側板80の前端、後端及び半円状に形成された上端から右方へ向かって、側板80に対してほぼ直角になるように、周板81が立設されている。また、周板81の側板80から右端までの距離は一定になるように形成されている。つまり、内板82は、側板80とほぼ平行になるように形成されている。また、内板82は、周板81の左端を塞ぐように形成されている。
【００６０】
また、上部吸気ダクト90は、側板80の上端が上方向を向くように形成されている。
また、内板82には、円孔が設けられている。これが、上部吸気ダクト90の一端となっている。また、上部吸気ダクト90の下端は、開口している。これが、上部吸気ダクト90の他端となっている。
（中部吸気ダクト91）
中部吸気ダクト91は、図２及び図３に示すように、筐体内下部24に設けられている。また、中部吸気ダクト91の一端は、中板25の下面であって、中板貫通孔26のある位置に連設されている。また、中部吸気ダクト91の他端は、下扉22を閉じることにより、後述する下部吸気ダクト92の一端と接続するように形成されている。
【００６１】
また、中部吸気ダクト91には、中板貫通孔26を介して、上部吸気ダクト90と下部吸気ダクト92とを連通させる空気の通路が形成されている。これにより、中部吸気ダクト91は、下部吸気ダクト92の空気を上部吸気ダクト90へ導くことができる。
また、中部吸気ダクト91は、ほぼ筒状に形成されている。また、中部吸気ダクト91の一端は、中板25の下面に連設され、中板貫通孔26の内面と連続するように形成されている。また、中部吸気ダクト91は、下方へ向かうにしたがって、前方向へ向けて湾曲し、他端が所定の位置にくるように形成されている。この所定の位置とは、下扉22が閉じられたとき、下部吸気ダクト92の一端と嵌合する位置である。また、中部吸気ダクト91の他端は、四角形状をしている。また、中部吸気ダクト91の他端は、下扉22が閉められることにより、後述する下部吸気ダクト92の一端と嵌合するように形成されている。
【００６２】
（下部吸気ダクト92）
下部吸気ダクト92は、図３に示すように、下扉22の裏面に設けられている。また、下部吸気ダクト92の一端は、下扉22を閉じることにより、中部吸気ダクト91の他端と接続するように形成されている。また、下部吸気ダクト92の他端は、メダル排出口32に至るように形成されている。
また、下部吸気ダクト92には、メダル排出口32を介して、筐体11の外部と中部吸気ダクト91とを連通させる空気の通路が形成されている。これにより、下部吸気ダクト92は、筐体11の外部の空気を中部吸気ダクト91へ導くことができる。
【００６３】
また、下部吸気ダクト92は、ほぼ筒状に形成されている。また、下部吸気ダクト92の一端は、後方を向くように湾曲し、一端が所定の位置にくるように形成されている。この所定の位置とは、下扉22が閉じられたとき、中部吸気ダクト91の他端と嵌合する位置である。また、下部吸気ダクト92は、下方へ向かうにしたがって右を向くように、つまり、メダル排出口32のある方向に向くように湾曲して形成されている。
また、下部吸気ダクト92の一端は、四角形状をしている。また、下部吸気ダクト92の一端は、下扉22が閉められることにより、中部吸気ダクト91の他端と嵌合するように形成されている。
【００６４】
また、上述のように、吸気ダクト72は、上部吸気ダクト90、中部吸気ダクト91及び下部吸気ダクト92から構成されている。また、上部吸気ダクト90は、中板貫通孔26を介して、吸気部と中部吸気ダクト91を連通させている。また、下扉22を閉じることにより、中部吸気ダクト91と下部吸気ダクト92は接続される。これにより、中部吸気ダクト91は、中板貫通孔26を介して、上部吸気ダクト90と下部吸気ダクト92を連通させている。下部吸気ダクト92は、メダル排出口32を介して、筐体11の外部と中部吸気ダクト91とを連通させている。
これにより、吸気ダクト72は、中板貫通孔26及びメダル排出口32を介して、吸気部と、筐体11の外部とを連通させることができ、筐体11の外部であるスロットマシン10前面付近の空気を吸気部へ導くことができる。
【００６５】
（作用・効果）
ここで、スロットマシン10の内部における空気の流れを、図７及び図８に従い説明する。まず、冷却用ファン130が回転することにより、リールユニット60内部に回転リール40の軸方向に沿って、左から右方向へ向けた空気の流れを発生させている。また、この冷却用ファン130が発生させる空気の流れにより、筐体11内部には、吸気部から排気部へ向けて空気が流れる。
また、本実施の形態では、吸気ダクト72を有している。吸気ダクト72は、筐体11の外部と吸気部とを連通させている。したがって、吸気部から排気部へ向けて発生した空気の流れにしたがい、メダル排出口32を介して、スロットマシン10の前面付近の空気が、吸気部に取り込まれる。
【００６６】
このとき、筐体11の外部であるスロットマシン10前面付近の空気は、室内の空調により一定の温度に保たれている。また、スロットマシン10前面付近は、広い空間を有しており、スロットマシン10の側面付近及びスロットマシン10の背面付近よりも、空気が篭らず、空気の温度は低くなっている。
また、駆動モータ120周囲の温度は、駆動モータ120の発熱により、室内の温度よりも高くなっている。したがって、スロットマシン10の前面付近の空気の温度は、駆動モータ120の周囲の温度よりも低くなっている。
また、吸気部に取り込まれた、スロットマシン10前面付近の空気は、吸気部から排気部へ向けて流れる空気の流れにより、リールユニット60内部に設けられている駆動モータ120の周囲に供給される。また、駆動モータ120により温まった空気は、空気の流れの下流側であるリールユニット60の左側方の排気部に至る。そして、排気部に至った空気は、排気ダクト71によって、筐体11の外部に排出される。
【００６７】
これにより、駆動モータ120の周囲に、筐体11外部の空調により一定に保たれた空気、つまり、駆動モータ120周囲の空気よりも冷めた空気を供給することができ、かつ、駆動モータ120により温まった駆動モータ120周囲の空気を、筐体11の外部に排出することができるようになり、駆動モータ120の温度の上昇を効率良く抑えることができる。また、これにより、筐体11内部の温度の上昇を抑えることができる。
また、本実施の形態では、一方向伝達機構部140が設けられている。一方向伝達機構部140は、駆動モータ120からの回転駆動力の一方向回転運動を冷却用ファン130に伝達し、逆方向回転運動を伝達せずに冷却用ファン130を空回りさせることができる。
【００６８】
これにより、回転リール40を停止させるために駆動モータ120の回転を停止させても、冷却用ファン130だけを自らの慣性力によって、そのまま回転を持続させることができ、摩擦抵抗により冷却用ファン130の回転が停止するまで、駆動モータ120の冷却のための送風を行うことができる。
また、本実施の形態の場合、回転リール40が停止した後であっても、リールユニット60の内部には、回転リール40の軸方向に空気の流れが発生している場合ある。このとき、もし、回転リール40が停止した後も、冷却用ファン130だけを回転させることができる構造となっておらず、冷却用ファン130と回転リール40とが一体として回転するような構造になっている場合には、回転リール40を停止した後も、冷却用ファン130に風が当たることにより、回転リール40を回転させるような力が働き、回転リール40が回転してしまう恐れがある。これに対し、本実施の形態では、冷却用ファン130が通常の遊技中の回転方向に回転運動している場合には、回転リール40が停止した後も、冷却ファン130は、回転リール40と独立して回転することができる。このため、リールユニット60内部に空気の流れが発生し、冷却用フィン130を回転させるような力が働いても、回転リール40を回転させるような力は働かず、容易に回転リール40を所定に位置で停止させたままにしておくことができる。
【００６９】
（第２の実施の形態）
（図面の説明）
図９は、第２の実施の形態を示すものであって、第２の実施の形態におけるリールユニット60の空気の流れを示す図である。
第１の実施の形態では、筐体11の内部であって、リールユニット60外部の上方の位置に、制御基板110が設けられている。これに対し、本実施の形態では、送気ダクト70としての吸気ダクト72の内部に、制御基板110が設けられている。
また、本実施の形態においても、第１の実施の形態と同様に、吸気ダクト72は、上部吸気ダクト90と中部吸気ダクト91と下部吸気ダクト92とから構成されている。また、本実施の形態では、図９に示すように、吸気ダクト72を構成する上部吸気ダクト90の内部に、制御基板110が設けられている。
【００７０】
また、上部吸気ダクト90の内部に制御基板110が設けられていること、及び上部吸気ダクト90は、その内部に制御基板110が設けられるように形成されていること以外は、第１の実施の形態と同様である。
（作用・効果）
図９に示すように、本実施の形態では、第１の実施の形態に加えて、制御基板110を上部吸気ダクト90の内部に設けている。
このとき、まず、冷却用ファン130が回転することにより、リールユニット60内部に回転リール40の軸方向に沿って、左から右方向へ向けた空気の流れを発生させるている。また、この空気の流れにより、吸気部から排気部へ向けて空気が流れる。
【００７１】
また、吸気ダクト72は、筐体11の外部と吸気部とを連通している。したがって、この吸気部から排気部へ向けて発生した空気の流れにしたがい、筐体11の外部であるスロットマシン10の前面付近の空気が吸気部に取り込まれる。
このとき、吸気ダクト72の内部には、メダル排出口32を介して、スロットマシン10の前面付近から吸気部に至る空気の流れが発生する。また、上部吸気ダクト90は、吸気ダクト72の構成部分である。また、制御基板110は、上部吸気ダクト90の内部に設けられている。したがって、制御基板110の周囲に、スロットマシン10の前面付近の空気を供給することができる。また、制御基板110周囲の空気は、空気の流れの下流側であるリールユニット60の左方の排気部に至る。そして、排気部に至った空気は、排気ダクト71によって、筐体11の外部に排出される。
【００７２】
これにより、制御基板110の周囲に筐体11外部の空調により一定に保たれた空気、つまり、制御基板110の周囲の空気よりも冷めた空気を供給することができ、かつ、制御基板110により温まった制御基板110の周囲の空気を、筐体11の外部に排出することができるようになり、制御基板110の温度の上昇を効率良く抑えることができる。
したがって、本実施の形態によれば、駆動モータ120だけでなく、制御基板110の温度の上昇を効率良く抑えることができる。また、これにより、筐体11内部の温度の上昇を抑えることができる。
（第３の実施の形態）
（図面の説明）
図１０は、第３の実施の形態を示すものであって、第３の実施の形態におけるリールユニット60の空気の流れを示す図である。
【００７３】
第１の実施の形態では、メダル排出口32から、スロットマシン10の前面付近の空気を取り込むため、吸気ダクト72を、上部吸気ダクト90と、中部吸気ダクト91と、下部吸気ダクト92とから構成している。
これに対し、第３の実施の形態では、スロットマシン10の裏面付近の空気を取り込むように吸気ダクト72が形成されている。したがって、本実施の形態では、第１の実施の形態と異なり、筐体内下部24に、中部吸気ダクト91及び下部吸気ダクト92を設けていない。
また、第１の実施の形態では、筐体11の背板19に、排気用に１箇の裏面貫通孔14を設けているが、これに対し、本実施の形態では、図１０に示すように、筐体11の背板19に、排気用の裏面貫通孔14に加えて、吸気用の裏面貫通孔28を1個設けている。つまり、本実施の形態では、合計２個の裏面貫通孔14,、28を設けている。
【００７４】
また、本実施の形態のうち、その他の形態については、第１の実施の形態と同様である。したがって、本実施の形態では、吸気ダクト72を中心に説明する。
（吸気ダクト72）
吸気ダクト72は、筐体11外部の空気を吸気部に取り込むためのものである。また、本実施の形態にかかる吸気ダクト72は、図１０に示すように、筐体11内部のリールユニット60の左側に設けられている。また、吸気ダクト72の一端は、リールユニット60の左側側面にある接続部材64と嵌合している。また、吸気ダクト72の他端は、背板19の内面であって、吸気用の裏面貫通孔28のある位置に至るように形成されている。
【００７５】
また、吸気ダクト72には、吸気用の裏面貫通孔28を介して、筐体11の外部と吸気部とを連通させる空気の通路が形成されている。これにより、吸気ダクト72は、筐体11の外部から吸気部へ空気を導くことができるようになっている。
また、本実施の形態にかかる吸気ダクト72は、図１０に示すように、側板と、周板と、内板と、後板とからなる箱状に形成されている。また、吸気ダクト72の側板は、リールユニット60の左側側面と、ほぼ平行になるように形成されている。また、側板の上端、下端及び後端は、直線状に形成されている。また、側板の前端は、上端の前端と下端の前端とを結んだ半円状に形成されている。
【００７６】
また、図１０に示すように、側板の上端、下端及び半円状のに形成された前端から右方へ向かって、側板に対してほぼ直角になるように、周板が立設されている。また、側板の後端から左方向へ向けて、側板に対してほぼ直角になるように、後板83が立設されている。また、周板の右端と後板の右端は、側板からの距離がほぼ同じく形成されている。つまり、内板は、側板とほぼ平行になるように形成されている。また、内板は、周板と後板の右端を塞ぐように形成されている。
また、吸気ダクト72は、側板の前端が正面方向を向くように形成されている。
また、内板82には、円孔が形成されている。これが、吸気ダクト72の一端となっている。また、後板83には、四角孔が形成されている。これが、吸気ダクト72の他端となっている。
【００７７】
（作用・効果）
図１０に示すように、本実施の形態にかかる吸気ダクト72は、吸気用の裏面貫通孔28を介して、筐体11の外部と吸気部とを連通している。
ここで、図１０に示すように、冷却用ファン130が回転することにより、リールユニット60内部に回転リール40の軸方向に沿って、左から右方向へ向けた空気の流れを発生させている。また、この空気の流れにより、吸気部から排気部へ向けて空気が流れる。
また、この吸気部から排気部へ向けて発生したの空気の流れにしたがって、吸気用の裏面貫通孔28から、吸気部へスロットマシン10の裏面付近の空気が取り込まれる。
【００７８】
このとき、筐体11の外部であるスロットマシン10裏面付近の空気は、室内の空調により一定の温度に保たれている。
また、吸気部に取り込まれたスロットマシン10裏面付近の空気は、吸気部から排気部へ向けて流れる空気の流れにより、リールユニット60内部に設けられている駆動モータ120の周囲に、スロットマシン10裏面付近の空気が供給される。また、駆動モータ120の周囲の空気は、空気の流れの下流側であるリールユニット60の左側方の排気部に至る。そして、排気部に至った空気は、排気ダクト71によって、筐体11の外部に排出される。
これにより、駆動モータ120の周囲に、筐体11外部の空調により一定に保たれた空気、つまり、駆動モータ120周囲の空気よりも冷めた空気を供給することができ、かつ、駆動モータ120により温まった駆動モータ120周囲の空気を、筐体11の外部に排出することができるようになり、駆動モータ120の温度の上昇を効率良く抑えることができる。また、これにより、筐体11内部の温度の上昇を抑えることができる。
【００７９】
また、本実施の形態では、筐体内下部24に、中部吸気ダクト91及び下部吸気ダクト92を設けていない。したがって、簡単な構造で、駆動モータ120の温度の上昇を抑えることができる。
（第4の実施の形態）
（図面の説明）
図１１は、第４の実施の形態を示すものであって、第４の実施の形態におけるリールユニット60の空気の流れを示す図である。
第１の実施の形態では、吸気ダクト72は、吸気部と筐体11の外部とを連通させ、筐体11外部の空気を吸気部へ取り込むように形成されている。
【００８０】
これに対し、第４の実施の形態では、吸気ダクト72の代わりに内部ダクト73を備えている。内部ダクト73は、筐体11内部における制御基板110付近の空間と吸気部とを連通させている。具体的には、内部ダクト73は、吸気部に筐体11内部の上部付近であって、筐体11内部に備えられている制御基板110付近の空間の空気を吸気部に取り込むように形成されている。したがって、本実施の形態では、第１の実施の形態と異なり、筐体内下部24に、中部吸気ダクト91及び下部吸気ダクト92を設けていない。
また、本実施の形態のうち、その他の形態については、第１の実施の形態と同様である。したがって、本実施の形態では、内部ダクト73を中心に説明する。
【００８１】
なお、本実施の形態では、図１１に示すように、制御基板110は、筐体11内部の上方の位置に設けられている。
（内部ダクト73）
内部ダクト73は、筐体11内部の制御基板110付近の空間の空気を吸気部に取り込むためのものである。
また、内部ダクト73は、図１１に示すように、筐体11内部のリールユニット60の左側方に設けられている。また、内部ダクト73の一端は、筐体11内部の上方へ向けて開口している。なお、本実施の形態では、制御基板110は、筐体11内部の上方に位置に設けられている。したがって、筐体11内部の上方が、制御基板付近の空間となっている。また、内部ダクト73の他端は、リールユニット60の右側側面にある接続部材64と嵌合している。
【００８２】
また、内部ダクト73には、吸気用の裏面貫通孔28を介して、筐体11の外部と吸気部とを連通させる空気の通路が形成されている。これにより、内部ダクト73は、筐体11の外部から吸気部へ空気を導くことができる。
また、本実施の形態にかかる内部ダクト73は、図１１に示すように、側板と、周板と、内板とからなる、上端を開放した箱状に形成されている。また、内部ダクト73の側板は、リールユニット60の左側側面と、ほぼ平行になるように形成されている。また、側板の前端、後端及び上端は、直線状に形成されている。また、側板の下端は、前端の下端と後端の下端とを結んだ半円状に形成されている。
【００８３】
また、図１１に示すように、側板の前端、後端及び半円状に形成された下端から右方へ向かって、側板に対してほぼ直角になるように、周板が立設されている。また、周板の側板から右端までの距離は一定になるように形成されている。つまり、内板は、側板とほぼ平行になるように形成されている。また、内板は、周板の右端を塞ぐように形成されている。また、内部ダクト73は、側板の下端が下方を向くように形成されている。
また、内部ダクト73の上端は、開口している。これが、内部ダクト73の一端となっている。また、内板82には、円孔が設けられている。これが、内部ダクト73の他端となっている。
【００８４】
（作用・効果）
図１１に示すように、冷却用ファン130が回転することにより、リールユニット60内部に回転リール40の軸方向に沿って、左から右方向へ向けた空気の流れを発生させている。また、この空気の流れにより、吸気部から排気部へ向けて空気が流れる。
また、内部ダクト73は、筐体11内部における制御基板110付近の空間と吸気部とを連通させている。したがって、この吸気部から排気部へ向けて発生した空気の流れにしたがい、筐体11内部における制御基板110付近の空間の空気が吸気部に取り込まれる。
このとき、筐体11内部における制御基板110付近の空気は、制御基板110により温まった状態になっている。
【００８５】
また、吸気部に取り込まれた、筐体11内部における制御基板110付近の空間の空気は、吸気部から排気部へ流れる空気の流れにより排気部へ至る。排気部に至った空気は、排気ダクト71によって、筐体11の外部に排出される。
これにより、制御基板110により温まった筐体11内部の制御基板110付近の空間の空気を、駆動モータ120により暖まった空気と供に筐体11の外部に排出することができるようになり、制御基板110の温度の上昇を駆動モータ120の温度の上昇とともに抑えることができる。また、これにより、筐体11内部の温度の上昇を抑えることができる。
また、本実施の形態では、筐体内下部24に、中部吸気ダクト91及び下部吸気ダクト92を設けていない。したがって、内部ダクト73のみの簡単な構造で、制御基板110及び駆動モータ120の温度の上昇を抑えることができる。
【００８６】
（その他の実施の形態）
（図面の説明）
図１２は、その他の実施の形態にかかるスロットマシン10の正面図である。
本実施の形態では、図１２に示すように、３個の回転リール40以外に、１個の演出リール47をリールユニット30に設けている。
第１の実施の形態ないし第４の実施の形態では、リールユニット60に３個の回転リール40を備えているが、本実施の形態のように、それぞれの実施の形態について、３個の回転リール40以外に、１個の演出リール47をリールユニット30に設けることもできる。
【００８７】
ここで、演出リール47は、３個の回転リール40の右方に設けられている。また、演出リール47とは、入賞の確定の有無に関係しない演出用のリールである。
また、ここで、演出リール47を駆動させる駆動モータに、冷却用ファン130を設けるようにする。このとき、回転リール40を駆動させる駆動モータ120に、冷却用ファン130を設けるか否かは、任意とする。
また、演出リール47は、入賞の確定の有無と関係なく作動させるている。すなわち、演出リール47は、演出リール47以外の回転リール40の回転の開始及び停止とは独立して制御されている。これにより、演出リール47は、入賞の確定にかかる回転リール40の回転が終了したのちでも、演出リール47の回転を続行することができる。したがって、演出リール47を回転させる駆動モータ120に設けられている冷却用ファン130は、回転リール40が停止した後でも、演出リール47が回転している間であれば回転し続けることができる。
【００８８】
（作用・効果）
本実施の形態によれば、演出リール47を回転させる駆動モータ120に取り付けられている冷却用ファン130は、回転リール40が停止した後でも、演出リール47が回転している間であれば作動し続けている。
これにより、３個の回転リール40が停止した後でも、リールユニット60内部の空気の流れを発生させることができるようになる。
したがって、このように、演出リール47を駆動させる駆動モータ120に冷却用ファン130を設けると、回転リール40を駆動させる駆動モータ120のみに冷却用ファン130を備えた場合に比べて、長い時間、空気の流れを発生させることができる。これにより、演出リール47を駆動させる駆動モータ120に冷却用ファン130を設けないときに比べて、長い時間、駆動モータ120等の周囲の空気よりも冷めた空気を、駆動モータ120等の周囲に供給することができ、かつ、長い時間、駆動モータ120により温まった駆動モータ120等の周囲の空気を、筐体11の外部に排出することができるようになり、駆動モータ120の温度の上昇を効率良く抑えることができる。また、これにより、筐体11内部の温度の上昇を抑えることができる。
【図面の簡単な説明】
【００８９】
【図１】第１の実施の形態におけるスロットマシンの正面図である。
【図２】第１の実施の形態におけるスロットマシンの分解斜視図である。
【図３】第１の実施の形態におけるスロットマシンの内部斜視図である。
【図４】第１の実施の形態におけるスロットマシンの背面斜視図である。
【図５】第１の実施の形態におけるリールユニットの分解斜視図である。
【図６】第１の実施の形態における冷却用ファンの外観斜視図である。
【図７】第１の実施の形態におけるリールユニットの空気の流れを示す図である。
【図８】第１の実施の形態における筐体内部の空気の流れを示す図である。
【図９】第２の実施の形態におけるリールユニットの空気の流れを示す図である。
【図１０】第３の実施の形態におけるリールユニットの空気の流れを示す図である。
【図１１】第４の実施の形態におけるリールユニットの空気の流れを示す図である。
【図１２】その他の実施の形態におけるスロットマシンの正面図である。
【符号の説明】
【００９０】
10    スロットマシン                11    筐体
12    表示窓                        13    図柄表示窓
14    裏面貫通孔                    15    投入スイッチ
16    ベットスイッチ                17    精算スイッチ
18    メダル投入口                  19    背板
20    前扉                          21    上扉
22    下扉                          23    筐体内上部
24    筐体内下部                    25    中板
26    中板貫通孔                    28    裏面貫通孔
30    スタートスイッチ              32    メダル排出口
40    回転リール                    41    回転リール本体
42    リールテープ                  43    左側回転リール
44    中央回転リール                45    右側回転リール
47    演出リール                    50    ストップスイッチ
60    リールユニット                61    図柄
62    リールユニット外枠部材        64    接続部材
65    ホッパーユニット              66    報知装置
67    スピーカ                      68    表示装置
69    報知ランプ
70    送気ダクト                    71    排気ダクト
72    吸気ダクト                    73    内部ダクト
80    側板                          81    周板
82    内板                          83    後板
90    上部吸気ダクト                91    中部吸気ダクト
92    下部吸気ダクト
110   制御基板                      120   駆動モータ
130   冷却用ファン                  131   羽根
132   円筒軸部                      133   爪車
136   爪係合部
140   一方向伝達機構部              141   爪
142   爪回転軸                      150   支持部材
151   支持開口部                    152   リール開口部
153   上面開口部                    154   側面開口部
163   支持片
【図１】
2007143617.tif 000003
【図２】
2007143617.tif 000004
【図３】
2007143617.tif 000005
【図４】
2007143617.tif 000006
【図５】
2007143617.tif 000007
【図６】
2007143617.tif 000008
【図７】
2007143617.tif 000009
【図８】
2007143617.tif 000010
【図９】
2007143617.tif 000011
【図１０】
2007143617.tif 000012
【図１１】
2007143617.tif 000013
【図１２】
2007143617.tif 000014